(57)【要約】【課題】セキュリティを確保しつつ、携帯情報端末の使用時における利便性を向上させる。【解決手段】スマートフォンと腕時計型のリスト端末とからなる情報処理システムにおいて、両者が相互認証された後、スマートフォンがセキュリティロック状態となった後（ＳＡ１０９）、ユーザがリスト端末に対してロック解除操作を行うと（ＳＢ１０３：ＹＥＳ）、リスト端末がロック解除命令をスマートフォンへ送信する（ＳＢ１０４）。係るロック解除命令をスマートフォンが受信すると、スマートフォンがセキュリティロック状態を解除する（ＳＡ１１２）。スマートフォンのセキュリティロック状態の解除に際し、スマートフォンでのパスワード等の入力操作が不要となる。【選択図】図５
2014123204.tif 000002
【特許請求の範囲】
【請求項１】
携帯情報端末、及び該携帯情報端末と無線通信する無線端末を含む情報処理システムにおいて、
前記無線端末は、
無線信号を送受信して前記携帯情報端末との間で相互認証を行う認証手段と、
前記認証手段による認証済みのセキュリティロック状態にある前記携帯情報端末に認証された状態で、所定の操作を検出すると、前記携帯情報端末に対してセキュリティロック状態の解除を指示する解除信号を送信する指示手段と
を含み、
前記携帯情報端末は、
無線信号を送受信して前記無線端末との間で相互認証を行う認証手段と、
前記認証手段による認証済みの前記無線端末から前記解除信号を受信するとセキュリティロック状態を解除する解除手段とを含む
ことを特徴とする情報処理システム。
【請求項２】
前記携帯情報端末は、
前記無線端末と通信可能か否かの状態を繰り返し確認する確認手段と、
前記確認手段により前記無線端末と通信が所定時間不能であることが確認された場合に、動作状態をセキュリティロック状態とするロック手段と
をさらに含むことを特徴とする請求項１記載の情報処理システム。
【請求項３】
前記携帯情報端末のセキュリティロック状態は、ロック解除操作を除く操作を禁止する動作状態であることを特徴とする請求項１または２記載の情報処理システム。
【請求項４】
前記携帯情報端末の確認手段は、認証済みの前記無線端末から一定時間毎に行われる接続要求の受信の有無により前記無線端末と通信可能か否かの状態を確認することを特徴とする請求項２または３記載の情報処理システム。
【請求項５】
携帯情報端末、及び該携帯情報端末と無線通信する無線端末を含む情報処理システムにおける無線端末において、
無線信号を送受信して前記携帯情報端末との間で相互認証を行う認証手段と、
前記認証手段による認証済みのセキュリティロック状態にある前記携帯情報端末に認証された状態で、所定の操作を検出すると、前記携帯情報端末に対してセキュリティロック状態の解除を指示する解除信号を送信する指示手段と、
を含むことを特徴とする無線端末。
【請求項６】
前記所定の操作は、当該無線端末に対するワンタッチ操作であることを特徴とする請求項５記載の無線端末。
【請求項７】
前記所定の操作は、当該無線端末に対するパスワードの入力操作であることを特徴とする請求項５記載の無線端末。
【請求項８】
当該無線端末は、腕時計型であることを特徴とする請求項５または６，７記載の無線端末。
【請求項９】
携帯情報端末に、該携帯情報端末と無線通信する無線端末を認証させる工程と、
前記無線端末に、所定の操作を検出することによって、セキュリティロック状態にある前記携帯情報端末に対してセキュリティロック状態の解除を指示する解除信号を送信させる工程と、
前記携帯情報端末に、前記無線端末から前記解除信号を受信するとセキュリティロック状態を解除させる工程と、
を含むことを特徴とするロック解除方法。
【請求項１０】
携帯情報端末、及び該携帯情報端末と無線通信する無線端末を含む情報処理システムにおける前記携帯情報端末が有するコンピュータを、
無線信号を送受信して前記無線端末との間で相互認証を行う認証手段と、
携帯情報端末がセキュリティロック状態にある間に、前記認証手段による認証済みの前記無線端末から、所定の操作を検出することにより送信された前記セキュリティロック状態の解除を指示する解除信号を受信すると前記セキュリティロック状態を解除する解除手段と、
して機能させることを特徴とするプログラム。
【発明の詳細な説明】
【技術分野】
【０００１】
本発明は、携帯情報端末におけるセキュリティロック状態を解除する技術に関するものである。
【背景技術】
【０００２】
従来、携帯情報端末のセキュリティを確保するための技術として、例えば下記特許文献１に記載のシステムが知られている。すなわち携帯情報端末とキーユニットとが互いに認証されている間、つまり通信可能状態では、問題なく携帯情報端末を操作することができるが、認証が正常に行われなかった場合、あるいは通信不能状態となった場合には、携帯情報端末の操作に制限がかかり、キーユニットが警報を発するシステムである。
【０００３】
一方、現在、携帯情報端末として一般に普及しているスマートフォンにおいては、セキュリティを確保するための機能として、各種のアプリケーションの起動、及び通話（１１０番通話等の例外を除く）を含めた全ての機能の使用を制限するセキュリティロック状態とするロック機能が設けられている。なお、セキュリティロック状態への移行は、ユーザの手動操作（スリープモードへの移行操作）によって行われたり、一定時間操作が行われなかった場合等に自動的に行われたりする。
【先行技術文献】
【特許文献】
【０００４】
【特許文献１】特開平１１−８８４９９号公報
【発明の概要】
【発明が解決しようとする課題】
【０００５】
しかしながら、前述したスマートフォンにおけるセキュリティロック状態を解除するためには、例えばパスワードを入力してホーム画面（アプリケーションに対応するアイコン等が表示された画面）を表示させる必要がある。したがって、ロック機能を使用している間においては、ユーザがスマートフォンをカバンやポケット等から取り出して使用する際には、いちいちパスワード等を入力しなければならない。
【０００６】
より具体的には、スマートフォンをポケットに入れている場合には、例えば図６（ａ）に示したようにスマートフォン１の（１）取り出し、（２）スリープ解除、（３）パスワード入力、といった手順を経なければホーム画面の表示に到らず、スマートフォン１が使用できない。なお、（２）スリープ解除は、パスワード入力画面を表示させるための操作である。
【０００７】
したがって、ロック機能を使用している間においては、セキュリティが確保できる反面、使用時の利便性が大きく低下する。逆に、使用時の利便性を確保するためには、ロック機能の利用を中止しなければならないという問題があった。
【０００８】
本発明は、かかる従来の課題に鑑みてなされたものであり、セキュリティを確保しつつ、携帯情報端末の使用時における利便性を向上させる情報処理システム、及び携帯情報端末と無線端末、ロック解除方法を提供することを目的とする。
【課題を解決するための手段】
【０００９】
前記課題を解決するため、第１の観点に係る発明にあっては、携帯情報端末、及び該携帯情報端末と無線通信する無線端末を含む情報処理システムにおいて、前記無線端末は、無線信号を送受信して前記携帯情報端末との間で相互認証を行う認証手段と、前記認証手段による認証済みのセキュリティロック状態にある前記携帯情報端末に認証された状態で、所定の操作を検出すると、前記携帯情報端末に対してセキュリティロック状態の解除を指示する解除信号を送信する指示手段とを含み、前記携帯情報端末は、無線信号を送受信して前記無線端末との間で相互認証を行う認証手段と、前記認証手段による認証済みの前記無線端末から前記解除信号を受信するとセキュリティロック状態を解除する解除手段とを含むことを特徴とする。
【００１０】
また、第２の観点に係る発明にあっては、携帯情報端末、及び該携帯情報端末と無線通信する無線端末を含む情報処理システムにおける無線端末において、無線信号を送受信して前記携帯情報端末との間で相互認証を行う認証手段と、前記認証手段による認証済みのセキュリティロック状態にある前記携帯情報端末に認証された状態で、所定の操作を検出すると、前記携帯情報端末に対してセキュリティロック状態の解除を指示する解除信号を送信する指示手段と、を含むことを特徴とする。
【発明の効果】
【００１１】
本発明によれば、セキュリティを確保しつつ、携帯情報端末の使用時における利便性を向上させることが可能となる。
【図面の簡単な説明】
【００１２】
【図１】本発明の実施形態を示す図であって、スマートフォンとリスト端末を示す平面図であるとともに、ペアリング処理の説明図である。
【図２】スマートフォンの回路構成を示す概略ブロック図である。
【図３】リスト端末の回路構成を示す概略ブロック図である。
【図４】スマートフォンとリスト端末とのペアリング処理を示すフローチャートである。
【図５】ペアリング後の待機状態でのスマートフォンとリスト端末との動作示すフローチャートである。
【図６】ロック状態にあるスマートフォンの使用手順を示す説明図である。
【発明を実施するための形態】
【００１３】
以下、本発明の実施の形態について図面を参照して説明する。図１は、本発明を適用したスマートフォン１、及びこのスマートフォン１とブルートゥース（Ｂｌｕｅｔｏｏｔｈ（登録商標））等の近距離無線通信で無線接続されてデータ交換が可能なリスト端末２を示した平面図である。
【００１４】
スマートフォン１は、周知のように縦長上の装置本体１０１と、この装置本体１０１上に配置された同様に縦長上の表示部１０２及びタッチパネル１０３とを有している。リスト端末２は、人体の手首に装着可能な腕時計型であり、ケース２０１と、このケース２０１上に配置された表示部２０２とタッチパネル２０３、及びケース２０１の両端部に装着されたリストバンド２０４とで構成されている。
【００１５】
図２は、スマートフォン１の回路構成を示す概略ブロック図である。１０２は、前記表示部であり、前述のように配置されたＬＣＤと、これを駆動する駆動回路等から構成されている。１０４は、表示制御部であり表示部１０２の表示状態を制御する。１０５は、入力部であり、各種キーやスイッチを有して構成されており、また、前記タッチパネル１０３も含まれる。
【００１６】
１０６は、ＣＰＵであり、スマートフォン１全体を制御する。１０７はプログラムメモリであり、制御プログラム１０７１及び、ペアリングプログラム１０７２が予め記憶されているとともに、各種のアプリケーションプログラム１０７３等が記憶される。
【００１７】
制御プログラム１０７１はスマートフォン１全体を制御する基本的な制御プログラムであり、ペアリングプログラム１０７２は任意のリスト端末２とのペアリング（認証手続）を成立させるためのプログラムである。
【００１８】
１０８はリスト端末２との間で、近距離無線通信によるデータの送受信を行う無線Ｉ／Ｆである。１０９はＷｉ−Ｆｉなどでインターネット上の各種サーバ等とのリンクを行う通信Ｉ／Ｆである。各種サーバには各種のアプリケーションプログラムを提供するサーバ（所謂アプリストア）が含まれ、プログラムメモリ１０７には、係るサーバからダウンロードされたアプリケーションプログラムが含まれる。
【００１９】
なお、スマートフォン１は、電話通信を行うため、入力された音声を変調して送信する音声入力回路、送信回路、及び受信した音声信号を受信して復号再生する受信回路、再生回路等を有するが、これら周知の回路については、図示及び説明を省略する。
【００２０】
図３は、リスト端末２の回路構成を示す概略ブロック図である。リスト端末２は、時計部２１１を有する点以外は、スマートフォン１とほぼ同様の構成である。すなわち、２０２は、前記表示部でありＬＣＤとこれを駆動する駆動回路等から構成されている。２０４は、表示部２０２の表示状態を制御する表示制御部である。２０５は、入力部であり、各種キーやスイッチを有して構成され、また、前記タッチパネル２０３も含まれる。
【００２１】
２０６は、ＣＰＵであり、リスト端末２全体を制御する。２０７はプログラムメモリであり、制御プログラム２０７１及びペアリングプログラム２０７２が予め記憶されている。制御プログラム２０７１はリスト端末２全体を制御する基本的な制御プログラムであり、ペアリングプログラム２０７２はスマートフォン１とのペアリング成立させるためのプログラムである。２０８はスマートフォン１との間で、前記無線によるリンクを行う無線Ｉ／Ｆである。
【００２２】
次に、本実施の形態の動作についてフローチャート等に基づき説明する。なお、以下の説明においては、スマートフォンを便宜上「スマホ」と表記する。
【００２３】
図４は、スマホ１とリスト端末２との間におけるブルートゥースによるペアリング処理を示すフローチャートである。ペアリング処理は、双方のＣＰＵ１０６，２０６がそれぞれペアリングプログラム１０７２，２０７２に従った処理を実行することにより行われる。本実施の形態におけるスマホ１とリスト端末２とのペアリング処理を同図のフローチャート及び図１の説明図に基づき説明する。
【００２４】
同図（ａ）に示すように、スマホ１は、ブルートゥース（もしくはＷｉ−Ｆｉ）が環境設定されて、近接無線が可能な状態において、直近のリスト端末２を探索する（ステップＳＡ１）。一方、リスト端末２は、同図（ｂ）に示すようにブルートゥース（もしくはＷｉ−Ｆｉ）が環境設定されて、近接無線が可能な状態において、近くのスマホを探索する（ステップＳＢ１）。この時、ペアリングされていない当該ユーザのスマホ１とリスト端末２とが近接していると、スマホ１とリスト端末２とは、それぞれ近接無線での送信と受信とを繰り返し、近くの相手機器を探索する。
【００２５】
近くの相手機器の探索を完了したならば、スマホ１はリスト端末２に接続要求を送信し（ステップＳＡ２、図１（１））、リスト端末２はスマホ１に接続要求を送信する（ステップＳＢ２、図１（２））。そして、これら各機器から接続要求による相互通信が確立したか否かをそれぞれ判断する（ステップＳＡ３，ＳＢ３）。接続要求による相互通信が確立したならば（ステップＳＡ３：ＹＥＳ）、スマホ１はリスト端末２にペアリング完了通知を発行する（ステップＳＡ４、図１（３））。リスト端末２は、スマホ１からのペアリング完了通知の受信の有無を判断する（ステップＳＢ４）。
【００２６】
リスト端末２は、スマホ１との相互通信が確立した後（ステップＳＢ３：ＹＥＳ）、ペアリング完了通知を受信したならば（ステップＳＢ４：ＹＥＳ）、パスキーを生成して表示部２０２に、例えば３０秒間表示する（ステップＳＢ５、図１（４））。スマホ１及びリスト端末２のユーザは、このリスト端末２の表示部２０２に表示されたパスキーを視認して、スマホ１の入力部１０５が有するキーを操作し、パスキーを入力する。これにより、スマホ１の入力部１０５は操作されたキーに応じたパスキーをＣＰＵ１０６に入力する（ステップＳＡ５）。
【００２７】
引き続き、スマホ１は、入力されたパスキーが入力条件を満たしているか否かを判断する。ここで、入力条件とは、図１（５）に記載したように、例えば発行されたパスキーを３０秒以内に入力したかである。なお、入力制限回数は３回までである。そして、これらの入力条件を満たしていない場合には（ステップＳＡ６：ＮＯ）、ステップＳＡ１に戻る。
【００２８】
一方、入力条件を満たしている場合には（ステップＳＡ６：ＹＥＳ）、接続完了し（ステップＳＡ７）、これによりパスキーを識別情報として、ペアリング（相互認証）されたスマホ１とリスト端末２とが互いに通信接続可能なように通信設定が自動的に行われる。なお、ペアリングが行われた後、スマホ１とリスト端末２とは通信を停止するとともに、必要に応じて通信が行われる待機状態となる。
【００２９】
次に、本発明に係るスマホ１の動作について説明する。図５は、前述したペアリング処理後に、ＣＰＵ１０６が制御プログラム１０７１を実行することにより行われるスマホ１の動作と、それに応じたリスト端末２の動作を示したフローチャートである。
【００３０】
図５（ａ）に示したように、ペアリングが行われて待機状態となった後、スマホ１は、ユーザによるスリープ操作（スリープモードへの移行操作）の有無、及び一定時間操作が無かったかをそれぞれ確認しており、ユーザによるスリープ操作があった場合（ステップＳＡ１０１：ＹＥＳ）、又は一定時間操作が無かった場合には（ステップＳＡ１０２：ＹＥＳ）、直ちに全機能をロックしたロック状態、すなわちセキュリティロック状態に移行する（ステップＳＡ１０９）。
【００３１】
さらに、待機状態においてスマホ１は、ロック状態に移行していない間には、予め決められている一定時間毎の確認タイミングが到来する毎に（ステップＳＡ１０３：ＹＥＳ）、リスト端末２へ通信を開始するための接続要求を行う（ステップＳＡ１０４）。なお、本実施形態において上記の一定時間が１分であるものとする。
【００３２】
一方、図５（ｂ）に示したように、リスト端末２は、上記の待機状態においてスマホ１から接続要求の有無を随時確認しており、接続要求があれば（ステップＳＢ１０１：ＹＥＳ）、直ちにそれに応答する（ステップＳＢ１０２）。
【００３３】
そして、スマホ１は、リスト端末２からの応答が確認できた時（ステップＳＡ１０５：ＹＥＳ）、つまりリスト端末２と通信可能であることが確認できた時には、直ちに通信を終了するとともに、確認回数Ｎをゼロにリセットした後（ステップＳＡ１０６）、ステップＳＡ１０１の処理へ戻る。この確認回数Ｎは、後述するようにリスト端末２からの応答が確認できなかった回数である。
【００３４】
また、スマホ１は、リスト端末２へ通信を開始するための接続要求を行った後、リスト端末２からの応答が確認できなかった時（ステップＳＡ１０５：ＮＯ）、つまりリスト端末２と通信不能であることが確認できた時には、直ちに通信を終了するとともに、確認回数Ｎをインクリメントする（ステップＳＡ１０７）。
【００３５】
引き続き、スマホ１は、確認回数Ｎが５回となったか否かを確認する（ステップＳＡ１０８）。つまりリスト端末２と通信不能である状態が所定時間（ここでは少なくとも４分間以上）継続して確認できたか否かを確認する。そして、スマホ１は、確認回数Ｎが５回に達していなければ（ステップＳＡ１０８：ＮＯ）、そのままステップＳＡ１０１の処理へ戻り、前述した動作を繰り返す。
【００３６】
なお、その間においても、前述したように、リスト端末２からの応答が確認できた時には（ステップＳＡ１０５：ＹＥＳ）、その時点で確認回数Ｎをゼロにリセットする（ステップＳＡ１０６）。
【００３７】
そして、上記の処理を繰り返す間に確認回数Ｎが５回に達した場合（ステップＳＡ１０８：ＹＥＳ）、スマホ１は、直ちに前述したロック状態（セキュリティロック状態）に移行する（ステップＳＡ１０９）。
【００３８】
一方、リスト端末２は、ペアリングが行われて待機状態にある間、前述したステップＳＢ１０１，ステップＳＢ１０２の動作とは別に、ユーザによるロック解除操作の有無を随時確認する（ステップＳＢ１０３）。ここで、ユーザによるロック解除操作はタッチパネル２０３をワンタッチすることにより行われる（図６（ｂ）の（１）参照）。
【００３９】
ユーザによるロック解除操作があった場合、リスト端末２は、スマホ１に対してロック解除命令を示す解除信号を送信する（ステップＳＢ１０４）。引き続き、リスト端末２は、当該ロック解除命令に対するスマホ１からの応答の有無を確認し、応答があれば（ステップＳＢ１０５：ＹＥＳ）、そのままステップＳＢ１０１へ戻る。
【００４０】
また、リスト端末２は、応答がなかった場合においては（ステップＳＢ１０５：ＮＯ）、その旨を知らせるエラーメッセージを表示部２０２に表示した後（ステップＳＢ１０６）、ステップＳＢ１０１の処理へ戻る。なお、応答がない場合は、スマホ１と通信不能な状態であるか、又はスマホ１がロック状態に移行していない場合である。
【００４１】
他方、ロック状態にある間、スマホ１においては、前述したリスト端末２からのロック解除命令（解除信号）の受信の有無を逐次確認し、ロック解除命令を受信するまで（ステップＳＡ１１０：ＮＯ）、ロック状態を維持する。そして、スマホ１は、ロック解除命令を受信したら（ステップＳＡ１１０：ＹＥＳ）、それに応答するとともに（ステップＳＢ１１１）、その時点でロック状態を解除し（ステップＳＡ１１２）、ステップＳＡ１０１に戻り、前述した動作を繰り返す。
【００４２】
以上のように本実施形態において、スマホ１は、ユーザによるスリープ操作があった場合、又は一定時間操作が無かった場合、さらにリスト端末２と通信不能である状態が所定時間継続した場合には、使用可能な全機能を制限したロック状態に移行する。
【００４３】
そして、係るスマホ１のロック状態は、ユーザがリスト端末２をタッチするだけで、極めて容易に解除することができる。つまりユーザはスマホ１にロック解除用の暗証番号等を入力するといった煩雑な作業を行うことなく、簡単、かつ瞬時にロック状態を解除することができる。
【００４４】
したがって、スマホ１をポケットに入れている場合、ユーザにおいては、例えば図６（ｂ）に示したように、（１）リスト端末２へのワンタッチ操作、（２）スマホ１の取り出し、だけを行えば直ちにスマホ１を使用することができる。
【００４５】
よって、本実施形態のシステムによれば、セキュリティを確保しつつ、スマホ１の使用時における利便性を向上させることができる。
【００４６】
同時に、ロック解除操作に際して暗証番号等が悪意を持った第三者に覗き見られるといった心配がなく、他人による不正使用に対するセキュリティを確実に確保することができる。
【００４７】
加えて本実施形態においては、例えばスマホ１の置き忘れや盗難によって、リスト端末２を装着しているユーザとスマホ１との位置が大きく離れ、スマホ１とリスト端末２とが通信不能な距離となり、係る状態が所定時間経過した場合には、スマホ１が自動的にロック状態となるため、他人による不正使用を確実に防止することもできる。
【００４８】
なお、以上の説明においては、スマホ１が、プログラムメモリ１０７に予め記憶されているペアリングプログラム１０７２に従って動作することによりリスト端末２とペアリングされ、かつ制御プログラム１０７１に従って動作することにより、リスト端末２からの遠隔操作によってロック状態を解除するものについて説明した。
【００４９】
しかし、スマホ１における上記の動作は、ユーザによってプログラムメモリ１０７に適宜記憶された所定のアプリケーションプログラム１０７３、すなわちインターネット上の任意の商用のダウンロードサイトからダウンロードされ、インストールされたアプリケーションプログラムによるものであっても構わない。
【００５０】
その場合、スマホ１として、上記の制御プログラム１０７１やペアリングプログラム１０７２が予め用意されていない既存のものを用いたとしても本発明を実施することができる。さらに、スマホ１とリスト端末２とを、汎用的でない独自の通信方式を含む任意の通信方式を用いてペアリングさせることができ、使用可能なリスト端末２の幅を広げることができる。
【００５１】
また、以上の説明においては、本発明の携帯情報端末としてスマホ１を例示し、かつ本発明の無線端末としてリスト端末２を例示したが、本発明においては、例えば前述したスマホ１が、ノート型のパーソナルコンピュータ等の他の携帯情報端末であってもよいし、さらに、その場合においては前述したリスト端末２がスマートフォンを含む他の無線端末であっても構わない。但し、リスト端末２等の無線端末については、ユーザが身に着けて使用するものが望ましい。
【００５２】
また、本実施形態においては、所定の操作であるロック解除操作をワンタッチ操作としたが、これに限ることなく、ロック解除操作は、例えばリスト端末での指紋認証やパスワード入力であってもよい。
【００５３】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
［請求項１］
携帯情報端末、及び該携帯情報端末と無線通信する無線端末を含む情報処理システムにおいて、前記無線端末は、無線信号を送受信して前記携帯情報端末との間で相互認証を行う認証手段と、前記認証手段による認証済みのセキュリティロック状態にある前記携帯情報端末に認証された状態で、所定の操作を検出すると、前記携帯情報端末に対してセキュリティロック状態の解除を指示する解除信号を送信する指示手段とを含み、前記携帯情報端末は、無線信号を送受信して前記無線端末との間で相互認証を行う認証手段と、前記認証手段による認証済みの前記無線端末から前記解除信号を受信するとセキュリティロック状態を解除する解除手段とを含むことを特徴とする情報処理システム。
［請求項２］
前記携帯情報端末は、前記無線端末と通信可能か否かの状態を繰り返し確認する確認手段と、前記確認手段により前記無線端末と通信が所定時間不能であることが確認された場合に、動作状態をセキュリティロック状態とするロック手段とをさらに含むことを特徴とする請求項１記載の情報処理システム。
［請求項３］
前記携帯情報端末のセキュリティロック状態は、ロック解除操作を除く操作を禁止する動作状態であることを特徴とする請求項１または２記載の情報処理システム。
［請求項４］
前記携帯情報端末の確認手段は、認証済みの前記無線端末から一定時間毎に行われる接続要求の受信の有無により前記無線端末と通信可能か否かの状態を確認することを特徴とする請求項２または３記載の情報処理システム。
［請求項５］
携帯情報端末、及び該携帯情報端末と無線通信する無線端末を含む情報処理システムにおける無線端末において、無線信号を送受信して前記携帯情報端末との間で相互認証を行う認証手段と、前記認証手段による認証済みのセキュリティロック状態にある前記携帯情報端末に認証された状態で、所定の操作を検出すると、前記携帯情報端末に対してセキュリティロック状態の解除を指示する解除信号を送信する指示手段と、を含むことを特徴とする無線端末。
［請求項６］
前記所定の操作は、当該無線端末に対するワンタッチ操作であることを特徴とする請求項５記載の無線端末。
［請求項７］
前記所定の操作は、当該無線端末に対するパスワードの入力操作であることを特徴とする請求項５記載の無線端末。
［請求項８］
当該無線端末は、腕時計型であることを特徴とする請求項５または６，７記載の無線端末。
［請求項９］
携帯情報端末に、該携帯情報端末と無線通信する無線端末を認証させる工程と、前記無線端末に、所定の操作を検出することによって、セキュリティロック状態にある前記携帯情報端末に対してセキュリティロック状態の解除を指示する解除信号を送信させる工程と、前記携帯情報端末に、前記無線端末から前記解除信号を受信するとセキュリティロック状態を解除させる工程と、を含むことを特徴とするロック解除方法。
［請求項１０］
携帯情報端末、及び該携帯情報端末と無線通信する無線端末を含む情報処理システムにおける前記携帯情報端末が有するコンピュータを、無線信号を送受信して前記無線端末との間で相互認証を行う認証手段と、携帯情報端末がセキュリティロック状態にある間に、前記認証手段による認証済みの前記無線端末から、所定の操作を検出することにより送信された前記セキュリティロック状態の解除を指示する解除信号を受信すると前記セキュリティロック状態を解除する解除手段と、して機能させることを特徴とするプログラム。
【符号の説明】
【００５４】
１    スマートフォン（スマホ）
２    リスト端末
１０２    表示部
１０３    タッチパネル
１０５    入力部
１０６    ＣＰＵ
２０２    表示部
２０３    タッチパネル
２０５    入力部
２１１    時計部
１０７１    制御プログラム
１０７２    ペアリングプログラム
１０７３    アプリケーションプログラム
２０７１    制御プログラム
２０７２    ペアリングプログラム
【図１】
2014123204.tif 000003
【図２】
2014123204.tif 000004
【図３】
2014123204.tif 000005
【図４】
2014123204.tif 000006
【図５】
2014123204.tif 000007
【図６】
2014123204.tif 000008